(57)【要約】      （修正有）【課題】遊技機と遊技媒体貸し機が曲線状に配列された遊技機島の内側に沿って延設される直線部と湾曲部を繋ぎ合わせて構成された搬送路を施工性良く適切に設置することができる紙葉類搬送装置等を提供する。【解決手段】遊技機と遊技媒体貸し機が曲線状に配列された遊技機島の内側に沿って延設され、遊技媒体貸し機から排出された紙葉類を所定の場所に搬送する搬送路を有し、搬送路は、遊技機島の内側に沿うように直線部と湾曲部４５を繋ぎ合わせて構成され、搬送路は、直線部で遊技機島に固定され、湾曲部４５は、直線部に接続されて支持される。直線部で搬送路を遊技島に保持し、湾曲部４５では保持しないので、湾曲部４５を遊技機島に保持するための複雑な金具を設ける必要がなく、施工が容易になる。【選択図】図１１
2019088805.tif 000002
【特許請求の範囲】
【請求項１】
遊技機と遊技媒体貸し機が曲線状に配列された遊技機島の内側に沿って延設され、前記遊技媒体貸し機から排出された紙葉類を所定の場所に搬送する搬送路を有し、
前記搬送路は、前記遊技機島の内側に沿うように直線部と湾曲部を繋ぎ合わせて構成され、
前記搬送路は、前記直線部で前記遊技機島に固定され、
前記湾曲部は、前記直線部に接続されて支持される
ことを特徴とする紙葉類搬送装置。
【発明の詳細な説明】
【技術分野】
【０００１】
本発明は、搬送管内に発生させた空気流の作用で紙幣等の紙葉類を搬送する紙葉類搬送装置に係り、特に、遊技機および遊技媒体貸し機を曲線状に配列した遊技機島の内側に設置される紙葉類搬送装置に関する。
【背景技術】
【０００２】
紙幣の投入を受けて遊技者に遊技媒体（メダルなど）を貸し出す遊技媒体貸し機とスロットマシンなどの遊技機とを一組にしたものを複数組併設収容した遊技機島の内部には、各遊技媒体貸し機に投入された紙幣を遊技機島の端部に設けた金庫まで搬送する搬送装置が遊技機島の長手方向に沿って設けてある。該搬送路の途中には、遊技媒体貸し機から排出された紙幣を搬送路内に取り込むための取込装置が遊技媒体貸し機毎に設けられる。
【０００３】
近年、遊技場における遊技機の多様な設置形態に対応するために、遊技機および遊技媒体貸し機を円弧状等に並べた遊技機島（円島とする）などが考案されている。このような円島において紙幣等を金庫まで搬送するには、搬送路を円島の内側に沿って円弧状に形成する必要が生じる。
【０００４】
搬送路全体を、円島の半径に対応した曲率で湾曲した搬送路にすると、遊技場毎に設置すべき円島の半径が様々なので、異なる曲率で湾曲した多種類の搬送路を用意しなければならない。しかし、異なる曲率で湾曲した多様な搬送路を用意すると、部品共通化のメリットがなくなってコスト高に繋がる。特に、空気漏れのない筒状の搬送管の内部に送風機で空気流を発生させ、該空気流の作用で紙葉類を搬送する空気搬送方式の場合、異なる曲率で湾曲した空気漏れのない多様な搬送管を用意することは難しい。一方、搬送路を任意の角度に曲げることが可能なように蛇腹状等にすると紙幣詰まりを起こし易くなるので、この方式は空気搬送では採用できない。また、遊技媒体貸し機から排出された紙幣を搬送管の中に取り込む取込装置を湾曲した搬送管に設けることも難しい。
【０００５】
そのため、直線部と弧状に湾曲した湾曲部とを繋ぎ合わせることで全体として円島の内側に沿った円弧状の搬送路を形成すると共に、取込装置を直線部に設けることが現実的となる。たとえば、下記特許文献１には、直線搬送装置と曲線搬送装置とを接続して遊技島の曲線形態と成すようにした紙片搬送装置が開示されている。
【先行技術文献】
【特許文献】
【０００６】
【特許文献１】特開２００４−８１２４９号公報
【発明の概要】
【発明が解決しようとする課題】
【０００７】
遊技媒体貸し機の背面の排出口から排出された紙幣を取込装置が円滑に受け入れるためには、取込装置の取り込み口と遊技媒体貸し機の排出口とが真正面で向き合うことが望ましい。
【０００８】
円島の内側に沿った搬送路２００を直線部２０２と湾曲部２０４を繋ぎ合わせて形成する場合、図２７に示すように、遊技機２１０と遊技媒体貸し機２１２の設置基準となる曲線Ｒ１に対して、搬送路２００は角の丸い多角形のような形状になる。この多角形の直線部２０２に設けられる取込装置２１４の取り込み口が、丁度、遊技媒体貸し機２１２の排出口の正面の位置になり、かつ該取り込み口の向きが遊技媒体貸し機２１２の排出口に真っ直ぐに向くように設置することは極めて難しい。そのため、施工現場では、取込装置２１４の取り込み口と遊技媒体貸し機２１２の排出口とが真正面で向き合う位置から外れてある程度の角度が付いてしまう。
【０００９】
しかし、取込装置２１４や搬送路２００を島構造に取り付けるための金具は、取込装置２１４の取り込み口と遊技媒体貸し機２１２の排出口とが真正面で向き合うことを前提にこれらを固定する構造なので、この金具で取込装置２１４や搬送路２００を島構造に取り付けることができなかったり、無理に取り付けた場合には搬送路２００の他の部分に無理がかかって歪みが出てしまったりする。
【００１０】
一方、取込装置２１４の取り込み口の真正面に位置するように遊技媒体貸し機２１２の位置をずらして調整すると、図２８に示すように、遊技機２１０と遊技媒体貸し機２１２の間に隙間Ｓができてしまい、見栄えがよくない。
【００１１】
特許文献１には、取り込み口自体の角度を変更可能な取込装置が開示されるが、取込装置の構造が複雑になってしまう。
【００１２】
本発明は、上記の問題を解決しようとするものであり、遊技機と遊技媒体貸し機が曲線状に配列された遊技機島の内側に沿って延設される直線部と湾曲部を繋ぎ合わせて構成された搬送路を施工性良く適切に設置することのできる紙葉類搬送装置を提供することを目的としている。
【課題を解決するための手段】
【００１３】
かかる目的を達成するための本発明の要旨とするところは、次の各項の発明に存する。
【００１４】
［１］遊技機と遊技媒体貸し機が曲線状に配列された遊技機島の内側に沿って延設され、前記遊技媒体貸し機から排出された紙葉類を所定の場所に搬送する搬送路を有し、
前記搬送路は、前記遊技機島の内側に沿うように直線部と湾曲部を繋ぎ合わせて構成され、
前記搬送路は、前記直線部で前記遊技機島に固定され、
前記湾曲部は、前記直線部に接続されて支持される
ことを特徴とする紙葉類搬送装置。
【００１５】
上記発明では、搬送路を直線部で保持し、湾曲部では保持しないようにすることで、湾曲部を保持するための複雑な金具を設ける必要がなく、施工が容易になる。
【発明の効果】
【００１６】
本発明に係る紙葉類搬送装置によれば、遊技機と遊技媒体貸し機が曲線状に配列された遊技機島の内側に沿って延設される直線部と湾曲部を繋ぎ合わせて構成された搬送路を施工性良く適切に設置することができる。
【図面の簡単な説明】
【００１７】
【図１】円島に設けられた本発明の実施の形態に係る紙葉類搬送装置の概略構成を示す平面図である。
【図２】円島に設けられた本発明の実施の形態に係る紙葉類搬送装置を示す斜視図である。
【図３】紙葉類搬送装置のうち、島端の金庫の内部に設けられた部分の構成を示す図である。
【図４】搬送管内の紙幣を、該紙幣の後端側から搬送補助体が押し動かす状態を示す説明図である。
【図５】直線部分における搬送管を示す斜視図である。
【図６】直線部分における搬送管の断面図である。
【図７】搬送補助体の平面および正面を示す図である。
【図８】搬送管内に搬送補助体を挿入した状態の搬送補助体の中心軸を通る断面図である。
【図９】ターン部を示す断面図である。
【図１０】ターン部を示す斜視図である。
【図１１】搬送管の一部の区間を示す斜視図である。
【図１２】図１１に示す区間の搬送管を分解して示す分解斜視図である。
【図１３】図１１に対応する区間の搬送管を示す正面図である。
【図１４】図１１に対応する区間の搬送管を示す平面図である。
【図１５】紙幣取込装置の内部構造を示す断面図である。
【図１６】第２取り付け金具を示す斜視図である。
【図１７】第２取り付け金具を示す左側面図である。
【図１８】第２取り付け金具を示す正面図である。
【図１９】第２取り付け金具を示す右側面図である。
【図２０】第２取り付け金具を示す平面図である。
【図２１】第２取り付け金具を示す底面図である。
【図２２】第２取り付け金具を示す背面図である。
【図２３】遊技媒体貸し機およびその背面に第２取り付け金具によって支持された搬送管を示す斜視図である図２３参照）。
【図２４】第１取り付け金具および第２取り付け金具によって取り付けられた搬送路の一区間を示す斜視図である。
【図２５】遊技媒体貸し機の背面に第２取り付け金具によって支持された搬送管を下方から見た様子の一例を示す図である。
【図２６】遊技媒体貸し機の背面に第２取り付け金具によって支持された搬送管を下方から見た様子の他の例を示す図である。
【図２７】直線部と湾曲部を繋ぎ合わせて搬送路が形成された円島の一例を示す図である。
【図２８】遊技媒体貸し機と遊技機の間に隙間ができた状態を示す図である。
【発明を実施するための形態】
【００１８】
以下、図面に基づき本発明の実施の形態を説明する。
【００１９】
図１は、本発明の実施の形態に係る円島に組み込まれた紙葉類搬送装置１０の概略構成を示す平面図、図２は、円島に組み込まれた紙葉類搬送装置１０の斜視図である。本実施の形態では、紙葉類搬送装置１０は、紙幣の投入を受けて遊技者に遊技媒体（メダル）を貸し出す遊技媒体貸し機３とスロットマシンなどの遊技機４とを一組にしたものを、正面を外向きにして円弧状に複数組配設した円島（遊技機島２）の内部に設けられ、各遊技媒体貸し機３の背面から排出された紙幣を取り込んで遊技機島２の端部に設けられた金庫５まで搬送する紙幣搬送装置として構成されている。なお、図２では遊技機４は図示省略してある。また、図３は、金庫５の内部構成を示している。
【００２０】
紙葉類搬送装置１０は、紙幣６（紙葉類）の搬送路となる搬送管１２と、搬送管１２内にその延設方向に流れる空気流を発生させる空気流発生装置（ブロア）１４（図３参照）を備えている。搬送管１２は、遊技機島２（円弧状に配列された遊技媒体貸し機３および遊技機４）の内側に沿って円弧状に延設されている。紙葉類搬送装置１０では、空気流を受けて搬送管１２内を移動可能な搬送補助体１６を、搬送対象の紙幣６より上流側で搬送管１２内へ挿入し、該搬送補助体１６で搬送管１２内の紙幣６を後方から押し動かして下流へ搬送するようになっている。
【００２１】
本実施の形態に係る遊技機島２では、図３に示すように、金庫５の内部に、空気流発生装置１４と、紙幣分離・搬送補助体循環装置２０が設けてある。紙幣分離・搬送補助体循環装置２０は、搬送補助体１６を搬送管１２内に送り出す搬送補助体挿入装置２１の機能と、紙幣６とこれを後方から押し動かして搬送してきた搬送補助体１６とを分離してそれぞれを回収する分離回収装置２２の機能を備えると共に、回収した搬送補助体１６を搬送補助体挿入装置２１へ戻して循環させる機能を果たす。分離回収装置２２で回収した紙幣６は金庫５内の紙幣収納部(図示省略)に収容される。
【００２２】
空気流発生装置１４の空気吹き出し側（空気吹出通路１４ａ）は搬送補助体挿入装置２１の空気流入口側に接続され、搬送補助体挿入装置２１の空気流出口側に、搬送管１２の始端が接続されている。搬送管１２は、搬送補助体挿入装置２１の空気流出口側から遊技機島２の他方の端部まで円弧状に延設された往路１２ａと、該他方の端部でＵ字状に折り返すターン部１２ｂ（図２参照）と、ターン部１２ｂで折り返した後、往路１２ａの上方を該往路１２ａに沿って金庫５まで戻るように延設された復路１２ｃで構成される。復路１２ｃの終端は、分離回収装置２２の空気流入口側に接続され(図３参照)、分離回収装置２２の空気流出口側に空気流発生装置１４の空気吸い込み側（空気吸込通路１４ｂ）が接続されている。
【００２３】
空気流発生装置１４はモータでファンを回転させることによって空気流を発生させる。空気流発生装置１４が発生させた空気流は、空気吹出通路１４ａから搬送補助体挿入装置２１を通じて搬送管１２の始端に流れ込み、往路１２ａ、ターン部１２ｂ、復路１２ｃを経た後、分離回収装置２２、空気吸込通路１４ｂを通じて空気流発生装置１４の吸い込み側へ引き込まれるように流れる。
【００２４】
搬送管１２の往路１２ａおよび復路１２ｃはそれぞれ、直線状の直管部と、曲線状の湾曲管部を繋ぎ合わせることで、全体として遊技機島２の内側に沿う円弧状にされている。復路１２ｃを構成する直管部には、各遊技媒体貸し機３に対応する位置に、遊技媒体貸し機３の背面から排出された紙幣６を搬送管１２（復路１２ｃの直管部）内に取り込む紙幣取込装置２４が設けてある。紙幣取込装置２４は復路１２ｃの直管部の一部を成す通路部５１（図１５参照）を備えており、該通路部５１の中に紙幣６を取り込む。
【００２５】
紙幣取込装置２４から搬送管１２の復路１２ｃ内に取り込まれた紙幣６は、その紙面が搬送管１２の延設方向に沿う姿勢で取り込み完了位置に滞在する。この搬送管１２（紙幣取込装置２４の通路部）内に取り込まれて滞在している紙幣６を金庫５まで搬送して回収するために搬送補助体１６が搬送補助体挿入装置２１によって搬送管１２内へ送り込まれる。搬送補助体挿入装置２１から搬送管１２内へ送り込まれた搬送補助体１６は、空気流発生装置１４が発生させた空気流の作用を受けて往路１２ａ内をターン部１２ｂに向けて移動し、ターン部１２ｂでＵターンした後、復路１２ｃ内を終端部に向けてさらに移動する。このとき、図４に示すように、搬送管１２内の紙幣６を、該紙幣６の後端側から搬送補助体１６が押し動かすことで、搬送管１２の終端部へ向けて（図中の搬送方向Ｆへ）紙幣６が搬送される。
【００２６】
紙葉類搬送装置１０の紙幣分離・搬送補助体循環装置２０、紙幣取込装置２４等は、ＣＰＵ（Central Processing Unit）、ＲＯＭ（Read Only Memory）、ＲＡＭ（Random Access Memory）などを主要部とする図示省略の制御部に制御されて動作する。本例では、空気流発生装置１４は常時作動させておき、制御部は、紙幣取込装置２４に設けたセンサが遊技媒体貸し機３の背面から排出された紙幣６を検知すると紙幣取込装置２４を作動させて該紙幣６を搬送管１２内に取り込む。そして、この取り込み動作が完了したら搬送補助体挿入装置２１から搬送補助体１６を搬送管１２内へ送り込む。すると、この搬送補助体１６が空気流の作用を受けて搬送管１２内を、往路１２ａからターン部１２ｂ、復路１２ｃへと移動し、復路１２ｃにおいて、その途中に滞在している紙幣６を後方から押し動かして搬送する。分離回収装置２２は搬送補助体１６の到来を検知すると紙幣６と搬送補助体１６とを分離してそれぞれを回収し、その回収した搬送補助体１６は次回の送出に備えて搬送補助体挿入装置２１へ案内し、回収した紙幣６は金庫５内の紙幣収納部へ搬送する、というように動作を制御する。
【００２７】
なお、空気流発生装置１４を必要時（たとえば、紙幣取込装置２４が遊技媒体貸し機３から排出された紙幣６を検知した時点からその紙幣を金庫５に搬送し終えるまでの間）のみ動作させるように制御してもよい。
【００２８】
このように、空気流の作用を受けて搬送補助体１６が移動し、この搬送補助体１６によって紙幣６を後端側から押し動かして搬送するので、紙幣６自体は空気流を受けて推進力を得る必要がない。したがって、空気流を受けるために紙幣６を折り曲げる等の措置を施すことなく、紙幣６を空気流によって搬送することができる。また、搬送補助体１６は紙幣６に比べて効率よく空気流から推進力を得ることができるので、効率よく紙幣を搬送することができる。
【００２９】
次に、搬送管１２および搬送補助体１６の形状について詳細に説明する。
【００３０】
図５は、直管部の一部を成す搬送管１２の斜視図を、図６は、同部分の搬送管１２の延設方向Ｆ（＝紙幣の搬送方向Ｆ＝空気流の流れる方向）に垂直な断面形状を示す断面図である。搬送管１２は、厚さ１．５ミリほどの樹脂で形成されている。搬送管１２は、たとえば、押し出し成型によって形成される。なお搬送管１２の内側形状は、湾曲管部においても同様である。
【００３１】
搬送管１２の直線部分の延設方向Ｆに垂直な断面の断面形状は、縦長の長方形の左右の側壁の中央部分が外側へ矩形に拡張した形状を成している。詳細には、搬送管１２は、上下の壁部３１と、左右の側壁部３２と、左右の側壁部３２の上下方向の中央部分において外側へ矩形に張り出した拡張部３３とを備えている。なお、搬送管１２の延設方向（搬送方向Ｆ）に垂直な略長方形の断面における短辺方向をＸ方向（もしくは幅方向、左右方向）、長辺方向をＹ方向（もしくは高さ方向、上下方向）とする。Ｘ方向、Ｙ方向それぞれにおいて搬送管１２の中心に向かう方向を内側、中心から内壁へ向かう方向を外側と呼ぶものとする。
【００３２】
拡張部３３は、搬送管１２の内側方向へ立設された分離壁３４によって上下２つに区切られている。分離壁３４は拡張部３３の内壁にＴ字型の部材を貼り付けて形成されている。
【００３３】
側壁部３２には、搬送管の内側方向へ突起した複数本のリブ３５が搬送方向に沿って延設形成されている。本例では、側壁部３２と拡張部３３の境界部に搬送管の内側へ突出するリブ３５が搬送方向に沿って形成されている。分離壁３４はリブ３５と同じ高さになっており、分離壁３４の頂部はリブとしての作用を果たす。
【００３４】
側壁部３２は、搬送される紙幣６の紙面に対向する一対の内壁となっている。紙幣６は長方形をなしており、搬送管１２内を、長辺が搬送方向Ｆとなる向きで搬送される。言い換えると、紙面が搬送管１２の側壁部３２に対向しかつ紙幣６の一方の短辺が搬送方向の先端側となり他方の短辺が後端側となる向きで搬送される。
【００３５】
搬送管１２の上下の壁部３１の間隔Ｄｙは紙幣６の短辺より僅かに長くされている。また、左右の側壁部３２（リブ３５や拡張部３３、分離壁３４が形成されていない部分（基準平面部とする））の間隔Ｄｘは２１ミリほどに設定されている。左右の側壁部３２に設けられた拡張部３３はそれぞれ側壁部３２（基準平面部）よりも外側へ６ミリほど拡張している。リブ３５および分離壁３４の頂は、側壁部３２（基準平面部）から内側へ約２ミリの高さになっている。リブ３５の高さは適宜に設定すればよい。
【００３６】
図７は、搬送補助体１６の平面および正面を示している。搬送補助体１６は、各部で径が異なる断面円形（軸に垂直な断面が円形）の柱状を成している。搬送補助体１６は、円柱の中心軸が搬送管１２のＹ方向（高さ方向）となるように搬送管１２内に挿入されて使用される。搬送補助体１６は、上下対象な形状であり、上から順に、頭部１６ａ、頭部よりやや径の小さい首部１６ｂ、頭部１６ａより径が大きい大径部１６ｃ、首部１６ｂと同径であって上下の中央に位置する括れ部１６ｄ、大径部１６ｃ、首部１６ｂ、頭部１６ａを有して構成される。搬送補助体１６は、軽量、丈夫であり、たとえば、プラスティックなどにより内部が空洞に形成される。なお、軽量、丈夫であれば、発泡スチロールや押出発泡ポリスチレンなどにより形成されてもよい。
【００３７】
図８は、搬送管１２内に搬送補助体１６を挿入した状態における、延設方向Ｆに垂直であって搬送補助体１６の中心軸を通る断面を示している。搬送補助体１６の各部の径は、搬送管１２の内縁形状に対応している。すなわち、搬送補助体１６の中心軸を通る断面形状は、延設方向Ｆと垂直な断面における搬送管１２の内縁形状に対応した形状となっており、搬送管１２の内側を、内壁との間に所定のクリアランスをあけてほぼ塞ぐ形状になっている。
【００３８】
このように、搬送補助体１６は、搬送管１２の内縁形状に対応する形状（若干のクリアランスをもってほぼ同一の形状）をなして搬送管１２の断面のほぼ全体を塞ぐので、空気流の作用を効率よく受けて移動することができる。さらに搬送補助体１６は上流からの空気流が搬送補助体１６の下流側へ至るのを防ぎ、下流側での空気流の乱れを抑制する役割を果たす。
【００３９】
紙幣６は、搬送管１２内の空気流から作用を受けると側壁部３２に張り付く傾向にある。すなわち、紙幣６の一方の紙面とこれに対向する側壁部３２との間隔と、他方の紙面とこれに対向する側壁部３２との間隔とが均等になることはほとんどなく、いずれかの間隔が他方より狭くなると、空気流の流速は狭い間隔側で広い間隔側より速くなるため、狭い間隔側の気圧が広い間隔側の気圧より低くなり、この気圧差によって紙幣６が狭い間隔側の側壁部３２へ吸着・押圧される。そうなると、狭い間隔側の間隔がさらに狭くなり、紙幣６が側壁部３２へ張り付き吸着する現象が生じる。
【００４０】
紙幣６が強く側壁部３２に張り付くと、搬送補助体１６で紙幣６を押し動かして搬送することが難しくなるが、上記のように搬送補助体１６はその下流側への空気の流れを遮る（少なくする）作用を果たすので、紙幣６が張り付き吸着する力は小さくなり、円滑な搬送が実現される。
【００４１】
搬送補助体１６が有する２つの大径部１６ｃは、搬送管１２の分離壁３４に区切られた２つの拡張部３３のそれぞれに係合する。本例では、拡張部３３を分離壁３４によって２つに区切ると共に、これらの拡張部３３を搬送管１２のＹ方向の中央寄りに設けてあるので、搬送補助体１６を安定した姿勢に維持して移動させることができる。また、搬送補助体１６の姿勢が安定するので、紙幣６の後端に搬送補助体１６の大径部１６ｃが適切に当接して安定した搬送力を与えることができる。また、搬送管１２と搬送補助体１６との間に紙幣６が巻き込まれ難くなる。
【００４２】
また、搬送補助体１６は、大径部１６ｃを設けることで、空気流の作用を受ける部分の面積が拡大し、移動するための力を効率よく受けることができる。また、大径部１６ｃを設けて空気流の作用を効率的に受けるので、その分、頭部１６ａの径を小さくすることができる。頭部の径を小さくすることで、搬送管１２内の対向する一対の側壁部３２の間隔（幅（Ｄｘ））を狭くすることができ、紙幣６の倒れを防ぐことができる。
【００４３】
さらに、側壁部３２に設けた複数本のリブ３５の存在により、紙幣６が側壁部３２にぴったりと張り付くことが防止される。すなわち、紙幣６と側壁部３２との接触面積が少なくなって摩擦が軽減され、静電気の発生等を抑えることができる。また、紙幣６が側壁部３２に張り付いた場合でも、その紙幣６はリブ３５の先端部分で支持されるため、リブ３５の周辺では側壁部３２と紙幣６との間に隙間が確保され、張り付き力が小さく抑えられる。また分離壁３４によって紙幣６が支えられるので、紙幣６が拡張部３３の窪みに落ち込むことが防止される。
【００４４】
また、側壁部３２から内側に突出する複数のリブ３５や分離壁３４の頂部は、搬送管１２の幅方向（Ｘ方向）における実質的な紙幣６の通路幅Ｗを、基準平面部間距離Ｄｘより狭くする役割を果たす。これにより、紙幣６が搬送管１２内で横倒れし難くなり、紙幣６の姿勢がＹ方向に沿うように保持される。特に、リブ３５を複数設けることで、紙幣６の倒れを適切に防ぐと共に、紙幣６の側壁部３２への張り付きも効果的に防止される。なお、リブ３５を設けた分だけＤｘを大きくすることができ、これによって搬送管１２の断面積を大きくして搬送補助体１６が空気流の作用を受けやすくなっている。
【００４５】
本実施の形態に係る搬送補助体１６の場合、大径部１６ｃの径が最も大きいので、図４に示すように、この大径部１６ｃが紙幣６の後端に当接して押し動かすようになる。
【００４６】
図９はターン部１２ｂの断面図であり、図１０はターン部１２ｂの斜視図である。ターン部１２ｂは、搬送管１２を、Ｙ方向を半径方向として９０度の円弧を描くように延設された円弧部１３ｂと、直線部１３ｃと、９０度の円弧状の円弧部１３ｂとを繋げた形状を有し、搬送補助体１６の進路を１８０度変更する。ターン部１２ｂにおいてもリブ３５や拡張部３３は形成されるが、搬送補助体１６が円弧部１３ｂに沿って円弧状に移動する際に引っかかることがないように、分離壁３４は設けないと共に、搬送補助体１６がターン部１２ｂ内を通る際の軌跡と重なる部分においてはリブ３５や拡張部３３を逃がすように(直線部分よりクリアランスを大きく)してある。これにより、ターン部１２ｂの円弧部１３ｂでの回転半径を小さくすることができる。なお、直線部１３ｃの長さは、搬送補助体分離装置２２や紙幣取込装置２４の大きさなどにより往路１２ａと復路１２ｃとの間に必要とされる距離に応じて適宜に定めればよい。なお、ターン部１２ｂの拡張部３３には、搬送補助体１６の大径部１６ｃに対応させて２本のリブ１３ａを設けてあり、搬送補助体１６をＸ方向の中央寄りに位置規制する。
【００４７】
次に、搬送管１２の連結および固定について説明する。
【００４８】
図１１は搬送管１２の一部の区間を示す斜視図であり、図１２は図１１に対応する区間の搬送管１２を分解して示す分解斜視図であり、図１３は図１１に対応する区間の搬送管１２を示す正面図であり、図１４は図１１に対応する区間の搬送管１２を示す平面図である。
【００４９】
図１２に示すように、搬送管１２の往路１２ａにおける直管部４０は、所定長の直線状搬送管４１と、該直線状搬送管４１の下流端が接続される上流接続アダプタ４２で構成される。湾曲管部４５は、所定の曲率で湾曲した円弧状の部分とその両端に形成された短い直線状の搬送管接続口で構成される。湾曲管部４５の一方の搬送管接続口（下流側の接続口）には直線状搬送管４１が接続され、他方の搬送管接続口４５ａ（上流側の接続口）には上流接続アダプタ４２が接続される。
【００５０】
復路１２ｃにおける直管部４６は、紙幣取込装置２４の通路部５１（図１５参照）と、該通路部５１の一端（上流側）に接続される上流接続アダプタ４２と、上流接続アダプタ４２の上流側に接続される直線状搬送管４１と、通路部５１の他端（下流側）に接続される直線状搬送管４１と、該直線状搬送管４１の下流に接続される上流接続アダプタ４２とから構成される。該直管部４６の上流側、下流側にはそれぞれ、搬送管接続口４５ａを上流側に向けた湾曲管部４５が接続される。
【００５１】
搬送管１２の直管部４０、４６は、剛性を備えた金属製、直線状のフレーム部材６０に支持される。フレーム部材６０は、並置された遊技機４と遊技媒体貸し機３の合計幅よりやや短い長さを備える。フレーム部材６０は湾曲管部４５に対応する部分にはなく、この部分で途切れている。
【００５２】
フレーム部材６０の一端は、遊技機４や遊技機島２の構造体等に一端が固定された第１取り付け金具７０の他端に支持される。フレーム部材６０の他端は、遊技媒体貸し機３の背面に一端が固定された第２取り付け金具８０の他端に支持される。
【００５３】
フレーム部材６０は、幅方向の両側に溝を有する細長い平板状を成しており、フレーム部材６０の上面には、フレーム部材６０に係合し、フレーム部材６０の長手方向に沿って自在にスライド移動可能な台座部６２が取り付けられる。台座部６２は、下部の爪がフレーム部材６０の裏面側に引っ掛かるようにしてフレーム部材６０に取り付けられる。この引っ掛かりにより、台座部６２がフレーム部材６０から容易に外れることはない。
【００５４】
台座部６２の上面には、紙幣取込装置２４の下部が嵌め込まれる。台座部６２は紙幣取込装置２４を下方から支持する。紙幣取込装置２４は、紙幣６の取り込み口５４が、丁度、遊技媒体貸し機３の背面に設けられた紙幣６の排出口と対向する位置になるように取り付けられる。
【００５５】
第２取り付け金具８０は、一端側が遊技媒体貸し機３に固定されて遊技媒体貸し機３の背面が臨む方向に延びた固定腕８１と、この固定腕８１の他端側に取り付けられると共に該固定腕８１に対する取り付け角度を、遊技媒体貸し機３の背面の排出口から紙幣取込装置２４の取り込み口５４へ向かう紙幣６の紙面に垂直であって排出口から取り込み口５４へ向かう方向を含む面内において所定の角度範囲で調整可能な支持部８２とを有する。第２取り付け金具８０の固定腕８１は、遊技媒体貸し機３の背面に設けられた紙幣６の排出口と紙幣取込装置２４の取り込み口５４とを結ぶようになる。
【００５６】
フレーム部材６０の第１取り付け金具７０に支持された側の端部の近傍には、フック部材６４が取り付けられる。フック部材６４は、フレーム部材６０に引っ掛けて吊り下げられる。フック部材６４は、下方に延びた後、下端が上向きコの字状に折り曲げられた吊り下げ腕部６４ａを備えている。搬送管１２の往路１２ａはフック部材６４の吊り下げ腕部６４ａに抱え込まれるようにして保持される。すなわち、搬送管１２の往路１２ａは、フレーム部材６０にフック部材６４を介して吊り下げられるように保持される。
【００５７】
フレーム部材６０の第２取り付け金具８０に支持された側の端部には、湾曲管部保持金具９０が取り付けられる。湾曲管部保持金具９０は、フレーム部材６０の端部に一端が差し込まれてフレーム部材６０に固定されるベース板９１(図１２参照)と、ベース板９１の他端側に取り付けられて下方に延設された往路湾曲管吊り下げ部材９２と、ベース板９１の他端側に取り付けられて上方に延びる復路湾曲管保持部材９３とから構成される。
【００５８】
往路湾曲管吊り下げ部材９２は、往路１２ａ側の湾曲管部４５を、フック部材６４と同様に抱え込むようにして保持する。復路湾曲管保持部材９３は、復路１２ｃ側の湾曲管部４５の下部を挟み込むように保持すると共に、上方に延びて上端が下向きコの字状に折り曲げられた腕の該下向きコの字状の部分で復路１２ｃの湾曲管部４５の上部を挟み込むように保持する。湾曲管部４５は、上流接続アダプタ４２と接続される側の搬送管接続口４５ａの部分が他の部分（湾曲部分）より外形が大きくなっており、湾曲部分のうち上流側の搬送管接続口４５ａの直ぐ下流の箇所が復路湾曲管保持部材９３で保持される。
【００５９】
湾曲管部保持金具９０の復路湾曲管保持部材９３は、湾曲管部４５が上流接続アダプタ４２から抜け落ちることを防止する。紙葉類搬送装置１０では、上流から下流へ移動する搬送補助体１６が湾曲管部４５の湾曲箇所に衝突して湾曲管部４５を下流に移動させる力が作用することがある。この力が作用して湾曲管部４５を下流に移動しようとしても、搬送管接続口４５ａの部分がそのすぐ下流の部分を保持する復路湾曲管保持部材９３に当接し、復路湾曲管保持部材９３はベース板９１を介してフレーム部材６０にしっかりと固定されているので、湾曲管部４５が下流へ移動することはない。これにより、湾曲管部４５が上流接続アダプタ４２から抜け落ちることが防止される。
【００６０】
搬送管１２の復路１２ｃは、第１取り付け金具７０および第２取り付け金具８０によってフレーム部材６０が遊技機島２に固定され、該フレーム部材６０に台座部６２を介して紙幣取込装置２４が取り付けられ、紙幣取込装置２４にその前後の搬送管が取り付けられて支持される。搬送管１２の往路１２ａは、フック部材６４および湾曲管部保持金具９０の往路湾曲管吊り下げ部材９２を介してフレーム部材６０に吊り下げられるようにして支持される。
【００６１】
次に、紙幣取込装置２４の構造を簡単に説明しておく。
【００６２】
図１５は、紙幣取込装置２４の内部構造を示す断面図である。紙幣取込装置２４は、搬送路１２の一部となる筒状の通路部５１と、通路部５１に沿って設けられた矩形箱状の本体枠部５２を有する。
【００６３】
通路部５１の一端部は、上流側の搬送管１２が、上流接続アダプタ４２を介して接続される上流側搬送管接続部５１ａになっており、他端部は下流側の搬送管１２（図１２では直線状搬送管４１）が接続される下流側搬送管接続部５１ｂになっている。図中の矢印Ｆは搬送管１２内での紙幣６の搬送方向（空気流の方向）を示している。
【００６４】
上流側搬送管接続部５１ａと下流側搬送管接続部５１ｂの間は、搬送管１２の内縁形状に対応した内縁形状を有する紙幣通路５１ｃになっている。紙幣通路５１ｃの本体枠部５２側の壁面には、紙幣６を紙幣通路５１ｃ内に取り込むための開口部５３が設けてある。
【００６５】
紙幣取込装置２４の本体枠部５２の正面の一方の端部には、遊技媒体貸し機３の背面に設けられた排出口から繰り出された紙幣６を受け入れる取り込み口５４が開口している。遊技媒体貸し機３は、横長かつ紙面を立てた姿勢の紙幣６を、一方の短辺を先頭に長辺の向きに排出する。取り込み口５４は、紙幣６の短辺よりやや長い細い長方形の開口であって、紙幣６をその短辺から受け入れる。取り込み口５４と通路部５１の開口部５３との間には、次に開口部５３から紙幣通路５１ｃ内へ送り出す紙幣６を待機させる通路としての待機部５５が形成されている。待機部５５はＳ字状に湾曲した幅狭（紙幣６の厚み方向に狭い）の通路（湾曲通路）となっており、該湾曲通路内に１枚の紙幣６を待機させることができるようになっている。
【００６６】
待機部５５に設けられた各種の搬送ローラ５６は、取り込み口５４から取り込んだ紙幣６を、待機部５５を通じて開口部５３から紙幣通路５１ｃ内へ送り出す。
【００６７】
紙幣取込装置２４の取り込み口５４は、紙幣取込装置２４の正面が向く方向と同じ方向を臨むように開口している。紙幣取込装置２４においては、取り込み口５４の真正面から紙幣６が真っ直ぐに取り込み口５４に進入することが最も望ましい。遊技媒体貸し機３の背面に設けられた排出口からは、該排出口が臨む方向に紙幣６が排出される。したがって、遊技媒体貸し機３の背面の排出口から排出された紙幣６を取り込み口５４から円滑に受け入れるためには、紙幣取込装置２４の取り込み口５４と遊技媒体貸し機３の排出口とが真正面で向き合う状態に設置されることが望ましい。
【００６８】
しかしながら、円弧状の遊技機島２に対応させるために、図１１、図１２等に示すように、直管部４０、４６と湾曲管部４５を繋ぎ合わせて搬送管１２を構成するので、遊技機島２が成す円弧に対して、搬送管１２は角の丸い多角形のような形状になってしまう。また、遊技場毎に円形の遊技機島２の半径が様々になるのに対応して曲率半径の異なる様々な湾曲管部４５を用意することは、部品の共通化を阻害するので難しい。そのため、現場で、搬送管１２を遊技機島２の内側に沿って組み立てる際に、紙幣取込装置２４の取り込み口５４と遊技媒体貸し機３の背面の排出口の位置を合わせることが出来たとしても、取り込み口５４と遊技媒体貸し機３の排出口が真っ直ぐ向き合うように、角度まで合わせ込むことは難しい。
【００６９】
一方、紙幣取込装置２４の取り込み口５４に紙幣６が進入する角度には、真正面からの進入に対して、ある程度の許容範囲がある。そこで、本実施の形態に係る紙葉類搬送装置１０では、遊技媒体貸し機３の背面に設けられた排出口が臨む向きに対して、紙幣取込装置２４の取り込み口５４がある程度角度の外れた向きであっても対応できるように、第２取り付け金具８０は固定腕８１に対して支持部８２の角度を調整可能になっている。
【００７０】
図１６は、第２取り付け金具８０の斜視図、図１７は第２取り付け金具８０の左側面図、図１８は第２取り付け金具８０の正面図、図１９は第２取り付け金具８０の右側面図、図２０は第２取り付け金具８０の平面図、図２１は第２取り付け金具８０の底面図、図２２は第２取り付け金具８０の背面図である。
【００７１】
第２取り付け金具８０は、一端が遊技媒体貸し機３に固定され、他端が該遊技媒体貸し機３の背面が臨む方向に延びた固定腕８１と、この固定腕８１の他端側に取り付けられると共に該固定腕８１に対する取り付け角度を、遊技媒体貸し機３の背面の排出口から紙幣取込装置２４の取り込み口５４へ向かう紙幣６の紙面に垂直であって排出口から取り込み口５４へ向かう方向を含む面内において所定の角度範囲で調整可能な支持部８２とを有する。
【００７２】
固定腕８１は、第１腕８３ａと、第１腕８３ａの一端から第１腕８３ａと直交する方向に延びた第２腕８３ｂと、第１腕８３ａの他端から第２腕８３ｂと平行かつ同方向に延びた第３腕８３ｃとを備えた固定腕本体部８３と、第２腕８３ｂに対して該第２腕８３ｂの長さ方向にスライド移動可能に取り付けられて第２腕８３ｂの先端からの進出量を調整可能なスライド部材８４を有して構成される。スライド部材８４は、第２腕８３ｂにその長手方向に開設された長穴８３ｅに通したネジで第２腕８３ｂに取り付けられる。
【００７３】
固定腕本体部８３の第１腕８３ａは、遊技媒体貸し機３の背面に開設された縦長の排出口に対応する長穴８３ｄが開設されており、該長穴８３ｄが遊技媒体貸し機３の背面の排出口に重なるように縦長にして遊技媒体貸し機３の背面にネジで固定される。第１腕８３ａを遊技媒体貸し機３の背面に取り付けたとき、第２腕８３ｂは第１腕８３ａの下端から遊技媒体貸し機３の背面が臨む方向（遊技機島２の内側方向）に延びる（図２３、図２５参照）。
【００７４】
固定腕本体部８３の第３腕８３ｃの先端側には、下向きコの字状を成して紙幣取込装置２４を上方から押さえ込むための保持金具８５が取り付けられる。保持金具８５の取り付け位置は、第３腕８３ｃの長さ方向に所定の範囲で調整可能にされている。
【００７５】
支持部８２は、図２１に示すように、ベース板８２ａと、ベース板８２ａの一端側に開設された軸穴８２ｂと、ベース板８２ａの他端側に開設された、軸穴８２ｂを中心とする円弧状の長穴８２ｃと、ベース板８２ａの裏面側に設けられ、フレーム部材６０を左右から挟み込むように保持するための一対の保持腕８２ｄ（図１６参照）を有する。
【００７６】
支持部８２の保持腕８２ｄによって保持されたフレーム部材６０の長手方向（図２１の矢印Ａの方向）に対して、軸穴８２ｂと長穴８２ｃの中心とを結ぶ直線（図２１の破線Ｂ）は直交する位置関係になっている。
【００７７】
長穴８２ｃは、保持腕８２ｄによって保持されたフレーム部材６０よりも遊技媒体貸し機３寄りとなる位置に開設されており、軸穴８２ｂは、該フレーム部材６０を挟んで長穴８２ｃの反対側に、フレーム部材６０から少し（フレーム部材６０の幅の３分の２程度）離れた位置に開設されている。
【００７８】
固定腕８１は、第１腕８３ａが支持部８２のベース板８２ａに垂直となる向きにされてスライド部材８４の先端（進出側の端部）が、支持部８２の軸穴８２ｂに通されたネジ８６ａで支持部８２のベース板８２ａに固定される。スライド部材８４の他端側は、支持部８２の長穴８２ｃに通されたネジ８６ｂで支持部８２のベース板８２ａに固定される。
【００７９】
これにより、第２取り付け金具８０は、固定腕８１に対する支持部８２の取り付け角度を、スライド部材８４の先端（進出側の端部）がネジ８６ａで軸支された軸穴８２ｂを中心に、ベース板８２ａと平行な面内、すなわち、遊技媒体貸し機３の背面の排出口から紙幣取込装置２４の取り込み口５４へ向かう紙幣６の紙面に垂直であって排出口から取り込み口５４へ向かう方向を含む面内、において所定角度範囲（長穴８２ｃの範囲）で調整することができる。
【００８０】
図２３は、遊技媒体貸し機３およびその背面に取り付けられた第２取り付け金具８０で支持された搬送管１２を示す斜視図である。遊技媒体貸し機３の背面に設けられた排出口から紙幣取込装置２４の取り込み口５４までの間は紙幣案内通路１１０によって接続される。紙幣案内通路１１０は、複数の短い矩形筒状の通路部材１１１を繋ぎ合わせて構成される。繋ぎ合わせる通路部材１１１の数を調整することで紙幣案内通路１１０の長さを、遊技媒体貸し機３の背面の排出口から紙幣取込装置２４の取り込み口５４までの距離に近づける。また、通路部材１１１同志はヒンジで連結されるため、通路部材１１１同志を連結箇所において所定の角度範囲で曲げることができる。これにより、遊技媒体貸し機３の背面の排出口が臨む方向と、紙幣取込装置２４の取り込み口５４が臨む方向の角度のずれに対応した角度で紙幣案内通路１１０を延設することができる。
【００８１】
図１２、図２３、図２４を参照して、第１取り付け金具７０および第２取り付け金具８０によってフレーム部材６０を遊技機島２に固定する方法をより詳しく説明する。
【００８２】
フレーム部材６０の一端は、遊技媒体貸し機３の背面に取り付けた第２取り付け金具８０に支持される。第２取り付け金具８０の固定腕８１の第１腕８３ａに開設された長穴８３ｄが遊技媒体貸し機３の背面にある紙幣６の排出口に重なるようにして第１腕８３ａを遊技媒体貸し機３の背面に取り付ける。固定腕８１の第２腕８３ｂに対するスライド部材８４の進出量は、第２取り付け金具８０の支持部８２の下面の保持腕８２ｄでフレーム部材６０を丁度保持できる位置に調整される。また、設置時のフレーム部材６０の長手方向の向きと遊技媒体貸し機３の背面が臨む方向とが成す角度に応じて第２取り付け金具８０の固定腕８１に対する支持部８２の取り付け角度を調整する。
【００８３】
フレーム部材６０の他端は第１取り付け金具７０を介して遊技機４や遊技機島２の構造体（遊技台設置板の上面）などに取り付けられる。第１取り付け金具７０は、Ｌ字型の第１金具７１と、同じくＬ字型の第２金具７２を組み合わせて構成される。第１金具７１はＬ字の一方の辺である第１辺７１ａは、その一端が遊技機４や遊技機島２の構造体（遊技台設置板）の上面などに固定される。第１辺７１ａの他端からは、第１金具７１の他方の辺である第２辺７１ｂが垂直下方に伸びている（図２４参照）。
【００８４】
第１金具７１の第２辺７１ｂに重ねて第２金具７２の一方の辺である第３辺７２ａが取り付けられ、第２金具７２の他方の辺である第４辺７２ｂは第２金具７２の第３辺７２ａの下端から遊技機島２の内側に向けて伸びている。第１金具７１の第２辺７１ｂと第２金具７２の第３辺７２ａとの重なり部分の長さを増減させることで、第１金具７１の第１辺７１ａと第２金具７２の第４辺７２ｂの高低差を調整することができる構造になっている。第２金具７２の第４辺７２ｂの下面には、フレーム部材６０を取り付けるための引掛け部７３（第２取り付け金具８０の支持部８２の裏面に設けた保持腕８２ｄと同じ構成）が設けてある。
【００８５】
フレーム部材６０の他端側は、第１金具７１の一端が遊技機４（遊技台設置板）の上面に固定された第１取り付け金具７０の第２金具７２の裏面に設けられた引掛け部７３によって保持される。この際、第１取り付け金具７０の向きや引掛け部７３を遊技機４の背面からどれだけ離れた位置にするかは、第１取り付け金具７０の第１金具７１の第１辺７１ａを遊技機４の上面のどの位置にどのような角度（遊技機の背面が臨む方向に対してどのような角度）で取り付けるかによって調整される。また、フレーム部材６０を支持すべき高さに合わせて前述した第２辺７１ｂと第３辺７２ａの重なり部分の長さが調整される。
【００８６】
このようにしてフレーム部材６０は第１取り付け金具７０と第２取り付け金具８０を介して遊技機島２に固定される。該フレーム部材６０に対する直管部４０、４６等の取り付け方は図１２等の説明において既に説明されているので省略する。
【００８７】
図２５は、遊技媒体貸し機３の背面に第２取り付け金具８０によって支持された搬送管１２を下方から見た様子の一例を示している。同図では、搬送管１２の直管部４６の延設方向と遊技媒体貸し機３の背面とが平行にならず、紙幣取込装置２４の取り込み口５４が臨む方向と遊技媒体貸し機３の背面の排出口が臨む方向とが角度θ１だけずれているので、それに合わせて第２取り付け金具８０の固定腕８１に対する支持部８２の取り付け角度を調整してある。
【００８８】
図２６は、遊技媒体貸し機３の背面に第２取り付け金具８０によって支持された搬送管１２を下方から見た様子の他の例である。紙幣取込装置２４の取り込み口５４が臨む方向と遊技媒体貸し機３の背面の排出口が臨む方向の角度が、図２５に示すものと反対側にずれた場合の取り付け状態を示している。同図では、搬送管１２の直管部４６の延設方向と遊技媒体貸し機３の背面とが平行にならず、紙幣取込装置２４の取り込み口５４が臨む方向と遊技媒体貸し機３の背面の排出口が臨む方向とが角度θ２だけずれているので、それに合わせて第２取り付け金具８０の固定腕８１に対する支持部８２の取り付け角度を調整してある。
【００８９】
図１に示す遊技機島２では、各遊技媒体貸し機３の背面に取り付けられる第２取り付け金具８０における固定腕８１と支持部８２の角度や、第１取り付け金具７０の第１金具７１を遊技機４の上面に取り付ける位置や角度は、それぞれの設置位置における搬送管１２の延設方向と遊技媒体貸し機３や遊技機４の背面が臨む向きとの関係に応じて調整されている。たとえば、搬送路１２と遊技媒体貸し機３の背面とがほぼ平行な設置位置１２１と、搬送路１２と遊技媒体貸し機３の背面とが非平行な設置位置１２２とでは角度調整の状況が大きく異なっている。
【００９０】
このように、角度調整可能な第２取り付け金具８０を介して遊技媒体貸し機３の背面にフレーム部材６０の一端を取り付けるので、遊技媒体貸し機３の背面に対するフレーム部材６０の延設方向の向き、すなわち、フレーム部材６０に保持される紙幣取込装置２４の取り込み口５４が臨む向きと遊技媒体貸し機３の背面に設けられた紙幣６の排出口が臨む向きとが少しずれた状態でも、フレーム部材６０を遊技媒体貸し機３の背面に無理なく取り付けて搬送路１２の施工を進めることができる。
【００９１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９２】
第２取り付け金具８０の形状は、実施の形態に例示したものに限定されない。固定腕８１に対して支持部８２の取り付け角度を所定範囲で調整可能な構成であればよい。
【００９３】
実施の形態では、搬送補助体１６で紙幣６等の紙葉類を後方から押し動かす空気搬送方式の紙葉類搬送装置１０を示したが、搬送補助体１６を用いずに、空気の流れのみで紙幣６等の紙葉類を搬送する紙葉類搬送装置であっても本発明は適用される。さらには、空気流を利用せず、ベルトやローラなど他の方法で紙葉類を搬送する紙葉類搬送装置についても本発明は適用可能である。
【００９４】
実施の形態で示した搬送補助体１６の形状は一例であり、これに限定されない。たとえば、断面矩形・多角形などの柱形状としてもよい。また、搬送補助体１６をＹ方向中央部に対して対象な形状にしたが、Ｙ方向に非対称な形状にされてもかまわない。
【００９５】
実施の形態では紙葉類として紙幣６を例に説明したが、チケット、カードなど他の種類の紙葉類であってもかまわない。また、実施の形態では、略円形の遊技機島２の内側に設置する場合を例示したが、楕円形、波状に湾曲するなど、遊技媒体貸し機３と遊技機４が任意の曲線状に配列される遊技機島に対して本発明は適用される。なお、第１取り付け金具７０は、フレーム部材６０の第１取り付け金具７０側の端部に湾曲した搬送管が接続される場合に使用され、第１取り付け金具７０側の搬送路が湾曲していない場合は、従来から使用されている固定金具が使用できる。
【００９６】
実施の形態では、紙葉類を１枚のみ搬送する例を図４等に示したが、搬送管１２の途中に複数枚の紙幣６が存在する状態で搬送補助体１６を挿入した場合には、それら複数枚の紙幣６を一度に搬送することも可能である。たとえば、搬送管１２の復路１２ｃの途中の各紙幣取込装置２４の取込完了位置にそれぞれ紙幣６が停留している状態で搬送補助体挿入装置２１から搬送補助体１６を送り込むと、搬送補助体１６が押し動かす紙幣６の枚数が復路１２ｃを進む途中で順に増加し、すべての紙幣６を搬送することができる。このような大きな搬送力は、搬送補助体１６が搬送管１２の断面をほぼ塞ぐ形状を成していること、またこれにより紙幣６の張り付き吸着が少なくなること、拡張部３３の存在により空気流の作用を受ける面積が大きいことなどによって確保される。また、搬送補助体１６が変形しない柱状をなしているので、羽などでは実現されない、多数枚の一括搬送を可能にしている。
【００９７】
実施の形態では搬送管１２の断面を略長方形としたが、円形や楕円形など他の形状にされてもよい。ただし、紙葉類の張り付き防止や搬送補助体の位置や姿勢のガイドとして内壁には複数のリブを設けられる。また、搬送補助体はその内縁形状に対応した形状で断面のほぼ全体を塞ぐことが好ましい。
【００９８】
また遊技機島は、実施の形態で例示したスロットマシンとメダルを貸し出す遊技媒体貸し機を収容する構成に限定されず、遊技球を貸し出す遊技媒体貸し機とパチンコ機等を収容する遊技機島でもかまわない。
【符号の説明】
【００９９】
２…遊技機島
３…遊技媒体貸し機
４…遊技機
５…金庫
６…紙幣
１０…紙葉類搬送装置
１２…搬送管
１２ａ…往路
１２ｂ…ターン部
１２ｃ…復路
１３ａ…ターン部のリブ
１３ｂ…ターン部の円弧部
１３ｃ…ターン部の直線部
１４…空気流発生装置
１４ａ…空気吹出通路
１４ｂ…空気吸込通路
１６…搬送補助体
１６ａ…頭部
１６ｂ…首部
１６ｃ…大径部
１６ｄ…括れ部
２０…紙幣分離・搬送補助体循環装置
２１…搬送補助体挿入装置
２２…分離回収装置
２４…紙幣取込装置
３１…壁部
３２…側壁部
３３…拡張部
３４…分離壁
３５…リブ
４０…直管部
４１…直線状搬送管
４２…上流接続アダプタ
４５…湾曲管部
４５ａ…搬送管接続口
４６…直管部
５１…通路部
５１ａ…上流側搬送管接続部
５１ｂ…下流側搬送管接続部
５１ｃ…紙幣通路
５２…本体枠部
５３…開口部
５４…取り込み口
５５…待機部
５６…搬送ローラ
６０…フレーム部材
６２…台座部
６４…フック部材
６４ａ…吊り下げ腕部
７０…第１取り付け金具
７１…第１金具
７１ａ…第１辺
７１ｂ…第２辺
７２…第２金具
７２ａ…第３辺
７２ｂ…第４辺
７３…引掛け部
８０…第２取り付け金具
８１…固定腕
８２…支持部
８２ａ…ベース板
８２ｂ…軸穴
８２ｃ…長穴
８２ｄ…保持腕
８３…固定腕本体部
８３ａ…第１腕
８３ｂ…第２腕
８３ｃ…第３腕
８３ｄ…長穴
８３ｅ…長穴
８４…スライド部材
８５…保持金具
８６ａ…ネジ
８６ｂ…ネジ
９０…湾曲管部保持金具
９１…ベース板
９２…往路湾曲管吊り下げ部材
９３…復路湾曲管保持部材
１１０…紙幣案内通路
１１１…通路部材
Ａ…フレーム部材の長手方向
Ｂ…支持部のベース板の軸穴と長穴の中心とを結ぶ直線
Ｄｘ…搬送管の基準平面部間距離
Ｄｙ…搬送管のＹ方向の内寸
Ｆ…搬送管の延設方向
Ｗ…通路幅
Ｘ…搬送管の通路幅方向
Ｙ…搬送管の高さ方向
【図１】
2019088805.tif 000003
【図２】
2019088805.tif 000004
【図３】
2019088805.tif 000005
【図４】
2019088805.tif 000006
【図５】
2019088805.tif 000007
【図６】
2019088805.tif 000008
【図７】
2019088805.tif 000009
【図８】
2019088805.tif 000010
【図９】
2019088805.tif 000011
【図１０】
2019088805.tif 000012
【図１１】
2019088805.tif 000013
【図１２】
2019088805.tif 000014
【図１３】
2019088805.tif 000015
【図１４】
2019088805.tif 000016
【図１５】
2019088805.tif 000017
【図１６】
2019088805.tif 000018
【図１７】
2019088805.tif 000019
【図１８】
2019088805.tif 000020
【図１９】
2019088805.tif 000021
【図２０】
2019088805.tif 000022
【図２１】
2019088805.tif 000023
【図２２】
2019088805.tif 000024
【図２３】
2019088805.tif 000025
【図２４】
2019088805.tif 000026
【図２５】
2019088805.tif 000027
【図２６】
2019088805.tif 000028
【図２７】
2019088805.tif 000029
【図２８】
2019088805.tif 000030